(57)【特許請求の範囲】
【請求項１】
透光円盤及び集光スピンドルを具えたターンテーブルにおいて、
被写体を載置するための透光円盤と、
結合領域を介して該透光円盤と結合され、一部分の表面は霧化処理されて集光領域とされ、他の部分の表面は透明平滑状態を維持して導光領域とされる集光スピンドルと、
該集光領域に光線を照射し並びに大部分の入射光線は該集光領域内に集められ、さらに該導光領域により光線が反射され、該集光領域内に集められた光線は該結合領域へと案内され、元来暗い該結合領域をライトアップする光源と、
該透光円盤を直接或いは間接的に回転させるモータと、
を含むことを特徴とする、透光円盤及び集光スピンドルを具えたターンテーブル。
【請求項２】
請求項１記載の透光円盤及び集光スピンドルを具えたターンテーブルにおいて、該モータはスピンドルホルダを駆動し、該スピンドルホルダは該集光スピンドルを固定し、これにより該集光スピンドルと該結合領域を介して結合された該透光円盤を回転させることを特徴とする、透光円盤及び集光スピンドルを具えたターンテーブル。
【請求項３】
請求項１記載の透光円盤及び集光スピンドルを具えたターンテーブルにおいて、該透光円盤は透明或いは半透明のプラスチック或いはガラス盤であることを特徴とする、透光円盤及び集光スピンドルを具えたターンテーブル。
【請求項４】
請求項１記載の透光円盤及び集光スピンドルを具えたターンテーブルにおいて、該集光スピンドルの材質は透明プラスチック或いは透明ガラスとされ該透明プラスチック或いは該透明ガラスの集光スピンドルの一部分の表面は霧化処理され、該集光スピンドルは円柱状或いは多角柱状とされることを特徴とする、透光円盤及び集光スピンドルを具えたターンテーブル。
【請求項５】
請求項１記載の透光円盤及び集光スピンドルを具えたターンテーブルにおいて、該結合領域は接着或いは一体成形により該透光円盤及び該集光スピンドルに結合されることを特徴とする、透光円盤及び集光スピンドルを具えたターンテーブル。
【請求項６】
請求項１記載の透光円盤及び集光スピンドルを具えたターンテーブルにおいて、該光源は該集光スピンドルに照射するボトムライト或いはサイドライトとされ、該ボトムライトは該モータ及び該透光円盤に伴い回転しないことを特徴とする、透光円盤及び集光スピンドルを具えたターンテーブル。
【請求項７】
ライトボックスにおいて、本体と請求項１記載の透光円盤及び集光スピンドルを具えたターンテーブルを含み、該透光円盤及び集光スピンドルを具えたターンテーブルは該本体内に嵌め込まれ、該本体は撮影時にピュアホワイト背景或いは自動背景除去画像を完成するのを助けるためのボトムライト及びバックライトを具え、並びに該透光円盤上の該被写体をライトアップする少なくとも一つのフロントライトを具え、該ボトムライトは該モータに伴い回転しないことを特徴とする、ライトボックス。
【請求項８】
請求項７記載のライトボックスにおいて、該透光円盤及び集光スピンドルを具えたターンテーブルはさらに第１円盤を含み、該モータが該第１円盤を駆動し回転させることで、間接的に該第１円盤の上に置かれた該透光円盤及び集光スピンドルを回転させ、該集光スピンドルの該結合領域より離れた遠端末端の接触領域と該第１円盤の間は固定されるか固定されないことを特徴とする、ライトボックス。
【請求項９】
請求項８記載のライトボックスにおいて、該透光円盤及び集光スピンドルを具えたターンテーブルはさらに第２円盤を含み、該遠端末端が該第２円盤に設置された後、さらに該第１円盤上に置かれることを特徴とする、ライトボックス。
【請求項１０】
透光円盤及び集光スピンドルを具えたターンテーブルにおいて、
被写体を載置するための透光円盤と、
少なくとも２本の集光スピンドルであって、いずれも結合領域を介して該透光円盤と結合され、各該集光スピンドルの一部分の表面は霧化処理されて集光領域とされ、他の部分の表面は透明平滑状態を維持して導光領域とされる上記少なくとも２本の集光スピンドルと、
これら集光領域に光線を照射し並びに大部分の入射光線はこれら集光領域内に集められ、さらにこれら導光領域により光線が反射され、これら集光領域内に集められた光線はこれら結合領域へと案内され、元来暗いこれら結合領域をライトアップする光源と、
該透光円盤を直接或いは間接的に回転させるモータと、
を含むことを特徴とする、透光円盤及び集光スピンドルを具えたターンテーブル。
【請求項１１】
請求項１０記載の透光円盤及び集光スピンドルを具えたターンテーブルにおいて、さらに第１円盤を含み、該モータが該第１円盤を駆動し回転させることで、間接的に該第１円盤の上に置かれた該透光円盤及びこれら集光スピンドルを回転させ、各該集光スピンドルの該結合領域より離れた遠端末端の接触領域と該第１円盤の間は固定されるか固定されないことを特徴とする、透光円盤及び集光スピンドルを具えたターンテーブル。
【請求項１２】
請求項１１記載の透光円盤及び集光スピンドルを具えたターンテーブルにおいて、さらに第２円盤を含み、これら遠端末端が該第２円盤に設置された後、さらに該第１円盤上に置かれることを特徴とする、透光円盤及び集光スピンドルを具えたターンテーブル。
【請求項１３】
請求項１０記載の透光円盤及び集光スピンドルを具えたターンテーブルにおいて、該光源はサイドライトとされるか、該モータに伴い回転しないボトムライトとされることを特徴とする、透光円盤及び集光スピンドルを具えたターンテーブル。
【請求項１４】
請求項１０記載の透光円盤及び集光スピンドルを具えたターンテーブルにおいて、各該集光スピンドルの材質は透明プラスチック或いは透明ガラスとされ該透明プラスチック或いは該透明ガラスの集光スピンドルの一部分の表面は該霧化処理され、各該集光スピンドルは円柱状或いは多角柱状とされることを特徴とする、透光円盤及び集光スピンドルを具えたターンテーブル。
【発明の詳細な説明】
【技術分野】
【０００１】
本発明は一種のターンテーブル(Turntable)に係り、特に一種の、透光円盤を具えたターンテーブルであって該透光円盤が結合領域を介して集光スピンドルに結合され、該集光スピンドルは一部表面が霧化処理されて底部或いは側面からの入射光線を集めることができ、並びに他の部分の表面はもとの透明で平滑な状態を維持する導光領域とされ、これにより該結合領域をライトアップするものに関する。
【背景技術】
【０００２】
一般にターンテーブルの円盤は金属(Metal)、プラスチック、木板、ガラス或いはその他の硬質材料で製造され、図１に示されるのは比較的よく見受けられるターンテーブルであり、該ターンテーブルの円盤１は該円盤のスピンドル２とネジ(Screw)３で連接されている。これにより、モータ４が連結器（Coupling)５を介してギアチャンバ６を回転させ、さらにスピンドルホルダ７に固定されたスピンドル２を介してターンテーブルの円盤１を回転させる。上述のターンテーブルの関係部品は、いずれも箱体８に被包されている。また、該円盤の底部に支持ローラを取り付けてもよい。該円盤は該箱体内にあるか或いは該箱体上方に露出可能である。
【０００３】
３６０度、半球(Hemispherical)或いは全球(Spherical)の三次元（３Ｄ）立体撮影を行うときに、ターンテーブルを各異なる角度に回転させて撮影することで、大量の平面画像(Still Images)を発生し、さらに三次元アニメーション動画（３Ｄ  Animation）或いは三次元モデル（３Ｄ  model）を合成する前に、これら平面画像に対して全白背景(Pure White Background)を自動生成するか自動背景除去(Background Removal)することで、大量の背景除去時間を節約できるようにするため、いずれも透光円盤(Light Transmission Round Platter)を具えたターンテーブルを採用することで撮影を補助し、該透光円盤の材質は透明或いは半透明のプラスチック或いはガラスとされる。また、透光円盤のリムはいずれも複数のプーリで異なる方向より支持され並びに円の中心のない該透光円盤を駆動する。
【０００４】
図２は円の中心のない透光円盤９（ボトムライトと円盤より低いバックライトが設けられている）を示し、そのリムにタイミングプーリ１０、１１が右方より接触し、さらに遊び車１２、１３が左方向より透光円盤９に接触し、並びにプラスチック回転球１４、１５、１６、１７で透光円盤９のリム底部が支持されている。タイミングベルト１８がこれらタイミングプーリ１０、１１に掛けられ、並びにモータ１９によりタイミングベルト１８及びタイミングプーリ１０、１１が駆動されることで透光円盤９が回転する。そのうち、タイミングプーリ１０、１１及び遊び車１２、１３の上縁(Upper Edge)はいずれもゴムリングが嵌合されて透光円盤９と直接接触し、且つタイミングプーリ１０、１１の下縁(Lower Edge)にはすなわちタイミングベルトが掛けられる。図３は円の中心のない透光円盤２０（ボトムライトが設けられている）がゴムリング２１、２２、２３により異なる方向より保持され、並びにモータ２４、２５、２６によりそれぞれ同時にこれらゴムリング及び透光円盤が駆動され回転し、透光円盤２０のリム底部はプラスチック回転球２７、２８、２９で支持される。図４は図１の構造とおなじであるが、図１の円盤上に光源(Light Source)３０を置き、並びに半透明カバー３１でカバーし、こうして該半透明カバー上に置いた被写体が全白背景(White Background)の、或いは自動背景除去された画像を生成できるようにしている。図５は図１に類似するが、透光円盤３２を採用し並びに透明スピンドル３３で結合され、透光円盤３２の底部に並びに光源３４が設けられている。透光円盤３２と透明スピンドル３３の結合は接着或いはプラスチック射出一体成形方式で達成されるが、透明スピンドル３３の一部表面は霧化処理されず、光源３４の灯光を集めて透光円盤３２上の暗領域(Dark Spot Area)３５をライトアップすることはできず、このため、発生する画像（被写体は該暗領域３５を覆うことはできない）にはいずれも暗領域が発生する。
【０００５】
図２及び図３はいずれもゴムリング／ゴムロールが異なる方向より透光円盤を頂持し、無中心回転を行ない、撮影時には暗領域の発生はなくとも、ゴムリング／ゴムロールが頂持して同時に駆動するものの、僅かな空転現象を有し得て、また、同時に頂持するゴムリング／ゴムロールが真円回転(Perfect Round Rotating)を行っているか及び回転半径の大きさについて確認することはできず、ゆえに回転角度校正を実行する必要があるが、いくらかの回転誤差が発生し得る。図４は一般のターンテーブルの円盤上に光源及び半透明カバーが置かれ、ターンテーブルが起動或いは停止するとき、該半透明カバーと該ターンテーブルの円盤間にスライドが発生し得て、且つ半透明カバーは比較的重い被写体を載置して撮影を行うことはできず、光源が円盤に伴い回転し、連続且つ安定した電源供給が比較的容易でない。図５は図２、３の空転、回転角度不正確の問題及び図４の電源不連続及び不安定の問題はないが、ターンテーブルの透光円盤と透明スピンドルの結合が発生する結合暗領域は、半透明円盤をさらに該透光円盤上において淡化できるものの、本発明の集光スピンドルのように該暗領域をライトアップすることで暗領域の問題を解決することはできない。図６は図５と、光源方向が、一つはサイドライトで、もう一つはボトムライトであるほかの、その他の構造はいずれも同じである。
【発明の概要】
【発明が解決しようとする課題】
【０００６】
本発明の目的の一つは、一種のターンテーブルを提供することにあり、そのモータはスピンドルホルダを介して集光スピンドルを駆動し、さらに該集光スピンドルと結合された透光円盤を回転させ、それは撮影過程中に、該透光円盤上に置かれた被写体を撮影すると、全白背景或いは自動背景除去の平面２Ｄ及び立体３Ｄ画像を自動完成し、大量の背景除去時間を節約できるものとする。
【０００７】
本発明のもう一つの目的は、モータで直接スピンドルホルダを介して固定された集光スピンドルを駆動し、さらに集光スピンドルに結合された透光円盤を回転させることで、該透光円盤が起動或いは制動停止時に発生する円盤スライド或いは回転角度誤差の問題を防止することにある。
【課題を解決するための手段】
【０００８】
上述の目的を達成するため、本発明は該集光スピンドルの一部表面に霧化処理(Frost Processing)を行なうことで、底部或いは側面より該霧化処理した一部表面に照射された光線を収集(Collect)し、さらに該集光スピンドル内に収集された光線を、未霧化処理のもとの平滑性と透明性を保留する集光スピンドル表面に案内し、さらに該集光スピンドル内の光線を該透光円盤と該集光スピンドルの暗結合領域に向けて反射し、並びにこの結合領域をライトアップすることで、撮影により発生する画像中に該暗領域(Dark Spot Area)が残らないようにする。前述の霧化処理は、サンドペーパー、研磨輪(Grainding Wheel)で該集光スピンドルの一部表面を研磨するか、或いはその他の霧化方式、たとえば、物品(Item)或いはモールド(Mold)噴砂（Sand Spray)等の方式により達成される。
【発明の効果】
【０００９】
本発明によると、ターンテーブルの透光円盤と集光スピンドルが接続され、該集光スピンドルはモータで駆動されて該透光円盤を回転させ、該集光スピンドルの一部表面は霧化処理されているため、底部或いは側面からの入射光線を該集光スピンドルの集光領域内に集め、並びに透明で平滑な導光領域を通し、さらに接続された該透光円盤の結合領域に向けて前述の該集光スピンドル内に集められた光線を発射し、元来暗い結合領域をライトアップして元来の暗さ程度を減らす。該透光円盤上に被写体をおいて回転させ撮影するとき、ライトアップされた該結合領域により暗い該結合領域より背景除去する時間を節約できる。
【図面の簡単な説明】
【００１０】
【図１】従来の技術中の一種の比較的よく見受けられるターンテーブルを示す。
【図２】従来の技術中の一種のタイミングベルトで駆動する円中心無しの透光円盤を具えたターンテーブルを示す。
【図３】従来の技術中の一種の複数のモータで駆動される円中心無しの透光円盤を具えたターンテーブルを示す。
【図４】従来の技術中の一種の比較的よく見受けられるターンテーブル上に内部に光源を有する半透明カバーをおいた状態を示す。
【図５】従来の技術中の一種の透光円盤、透明スピンドル及びボトムライトを具えたターンテーブルを示す。
【図６】従来の技術中の一種の透光円盤、透明スピンドル及びサイドライトを具えたターンテーブルを示す。
【図７】本発明の実施例のターンテーブルの透光円盤と結合された集光スピンドルの光線収集と案内原理を示す。
【図８】本発明の実施例のボトムライト、透光円盤及び集光スピンドルを具えた完全構造のターンテーブルを示す。
【図９】本発明の実施例のサイドライト、透光円盤及び集光スピンドルを具えた完全構造のターンテーブルを示す。
【図１０】本発明の実施例の完全ターンテーブル構造を嵌め込んだライトボックスを示す。
【図１１】本発明の実施例の透光円盤及び集光スピンドルをもう一つのターンテーブル上に直接置いた状態を示す。
【図１２】本発明の実施例の透光円盤と集光スピンドルの下方にさらにもう一つの円盤を設置した状態を示す。
【図１３】本発明の実施例の透光円盤と集光スピンドルの下方にさらにもう一つの円盤を設置し、さらに直接もう一つのターンテーブルの円盤上に置いた状態を示す。
【図１４】本発明の実施例の一つの透光円盤と少なくとも２本の集光スピンドルを結合させ、並びにサイドライトをこれら集光スピンドルに照射する状態を示す。
【図１５】本発明の実施例の一つの透光円盤と少なくとも二つの集光スピンドルを結合し、並びにサイドライトをこれら集光スピンドルに照射し、さらにこれら集光スピンドルの透光円盤との結合端以外の他端をもう一つのターンテーブルの円盤上に置いた状態を示す。
【図１６】本発明の実施例の一つの透光円盤と少なくとも二つの集光スピンドルを結合し、さらにこれら結合領域の他端にさらにもう一つの円盤を設置した状態を示す。
【図１７】本発明の実施例の一つの透光円盤と少なくとも二つの集光スピンドルを結合し、さらにこれら結合領域の他端にさらにもう一つの円盤を設置し、さらに該もう一つの円盤を直接もう一つのターンテーブルの円盤上に置いた状態を示す。
【発明を実施するための形態】
【００１１】
以下に本発明の技術内容、構造特徴、達成する目的及び作用効果について、以下に例を挙げ並びに図面を組み合わせて詳細に説明する。
【００１２】
図７に示されるのは本発明の実施例によるターンテーブルの透光円盤と集光スピンドルの接続であり、それは本発明の主要な構造の構成を説明し、それはターンテーブルの透光円盤３６と集光スピンドル３７が、接着或いはプラスチック／ガラス射出一体成形の方式で、結合領域３８において結合される。該集光スピンドル３７の一部分の表面は霧化処理され、表面の粗い集光領域(Light Collection Area)３９及び別の部分の未霧化処理の原透明平滑導光領域（Light Guiding Area)４０が形成されている。ボトムライト（Bottom Light)或いはサイドライト(Side Light)４１が霧化処理された集光スピンドル３７の粗表面(Crude Surface)４２に照射するとき、該サイドライト４１は方向を変えられ並びに第１段階の拡散(Diffusion)を形成し、且つ第１段階の拡散光線がもう一辺の粗表面４３に達すると、さらに第２段階の拡散を形成し、続いて粗表面４２、４３間で往復して不断に次の段階の拡散を形成し、大部分のボトムライト或いはサイドライト４１からの光線は集光スピンドル３７の集光領域３９内に集められる。集光領域３９内に集められた光線はさらに導光領域４０の光線反射(Reflection)をへて、迅速に、集光領域３９内に集められた光線が結合領域３８にガイドされ、さらに元来暗い結合領域３８を照らす。該集光スピンドル３７は円柱状或いはその他の形状（たとえば三角柱状、四角柱状等多角柱状）のスピンドルとされ得て、その材質は透明プラスチック或いは透明ガラスとされ得る。
【００１３】
前述の該透光円盤３６は透明或いは半透明のプラスチック或いはガラス円盤であり、該集光スピンドル３７の材質は透明のプラスチック或いはガラスの回転軸とされ、その一部表面は霧化処理される。さらに、透光円盤３６上に１片の半透明円盤が置かれることでさらに結合領域３８が撮影時に現出しにくくなる。
【００１４】
図８は本発明の実施例のボトムライトを有する完全ターンテーブル構造を示し、それは、モータ４４が軸連接器４５を介してギアチャンバ４６を駆動し、さらにはスピンドルホルダ４７を駆動するのを説明する。一部表面霧化処理された集光スピンドル４８は、スピンドルホルダ４７により固定され、スピンドルホルダ４７が集光スピンドル４８を回転させるとき、さらにそれと結合領域４９を介して結合された透光円盤５０が回転する。該ギアチャンバ４６は回転方向を変更し並びに回転力を増加するのに用いられ、並びに必ずしも採用される必要はない。ボトムライト５１は一部表面の霧化処理された集光スピンドル４８に照射し、特に該ボトムライト５１上方の部分に照射し、そのうち、斜線部分は霧化処理された集光領域とされ、ボトムライト５１が集光領域に照射した光線は収集された後、迅速に反射されてその上方の平滑透明な導光領域に導入され、さらに透光円盤５０上の結合領域４９を照らす。ボトムライト５１は底部の支持フレーム上に固定され、並びにモータ４４及び透光円盤５０に伴い回転しない。透光円盤５０は透明或いは半透明のプラスチック或いはガラスプラットフォーム(Platform)とされ、集光スピンドル４８は透明なプラスチック或いはガラス材質とされ、そのうち一部分の表面は霧化処理されて集光領域とされ、他の部分はもとの平滑透明状態を保留して導光領域とされる。図９は本発明の実施例によるサイドライトを具えた完全ターンテーブル構造を示し、図８の構造とは、図８がボトムライト５１で図９がサイドライト５２を採用している以外は同じ構造である。
【００１５】
図１０は本発明の実施例による完全ターンテーブル構造を具えたライトボックスを示し、図８と同じターンテーブルがライトボックス本体５３内に嵌め込まれ（Ｅｍｂｅｄｄｅｄ）、該ライトボックス本体は、ボトムライト５４、バックライト５５、サイドライト５６、フロントライト５７及びトップライト５８を具えている。透光円盤５９上に置かれた被写体に対して撮影を行うとき、結合領域６０が照らされ、さらにボトムライト５４及びバックライト５５の補助により、平面２D及び立体３D物品を撮影するときに、簡単にピュアホワイト或いは自動背景除去の画像を完成できる。サイドライト５６、フロントライト５７及びトップライト５８は透光円盤５９上に置かれた被写体（図示せず）を照らすのに用いられ、サイドライト５６及びトップライト５８は選択的に設置され得る。
【００１６】
図１１は直接図７と完全に同じ透光円盤３６及び結合領域３８を介して結合した集光スピンドル３７を、直接ターンテーブル６１の一つの第１円盤６３上に置き、ターンテーブル６１はモータ６２で直接或いは間接に透明或いは半透明或いは不透明の第１円盤６３を駆動して回転させ、間接的に第１円盤６３上に置かれた透光円盤３６及び集光スピンドル３７を回転させる。集光スピンドル３７がターンテーブル６１の第１円盤６３上に直接置かれるとき、集光スピンドル３７の結合領域３８から離れた遠端末端（distal end)の接触領域６４と第１円盤６３間は固定されるか固定されず、固定方式は接着或いはネジ止めとされる。サイドライト４１が集光スピンドル３７に照射するとき、結合領域３８をライトアップできる。
【００１７】
図１２は集光スピンドル３７の遠端末端下方にさらに一つの第２円盤６５が設置された後、さらにターンテーブル６１の第１円盤６３上に置かれ、図１３に示されるようである。第２円盤６５と接触領域６４は接着或いはネジなどの方式で固定され得る。円盤６５はターンテーブル６１の第１円盤６３の上に置かれ、集光スピンドル３７及び結合領域３８を介して結合された透光円盤３６をさらに安定して間接的にモータ６２で駆動できる。サイドライト４１は同様に結合領域３８をライトアップできる。
【００１８】
図１４では直接少なくとも２本以上の図７と完全に同じ集光スピンドル６６、６７、６８、６９が結合領域７１、７２、７３、７４を介して透光円盤７０と結合されている。サイドライト７５がこれら集光スピンドルに照射するとき、これら結合領域７１、７２、７３、７４をライトアップできる。
【００１９】
図１５は図１４のこれら集光スピンドル６６、６７、６８、６９とこれら結合領域７１、７２、７３、７４を介して結合された透光円盤７０が、これら結合領域７１、７２、７３、７４の遠端末端で直接ターンテーブル６１の一つの第１円盤（透明、半透明或いは不透明）６３の上に置かれ、該ターンテーブル６１はモータ６２で直接或いは間接的に第１円盤６３を駆動し回転させ、それにより間接的に第１円盤６３上方に置かれた透光円盤７０及び集光スピンドル６６、６７、６８、６９を回転させる。サイドライト７５がこれら集光スピンドル６６、６７、６８、６９に照射するとき、同時にこれら結合領域７１、７２、７３、７４をライトアップできる。これら集光スピンドル６６、６７、６８、６９の結合領域７１、７２、７３、７４より離れた遠端末端の接触領域７６、７７、７８、７９と第１円盤６３の間は固定されるか固定されず、固定方式は接着或いはネジ止めとされる。サイドライト７５以外にモータ６２に伴って回転しないボトムライト（図示せず）を設置して底部からの光線を提供できる。
【００２０】
図１６は集光スピンドル６６、６７、６８、６９の遠端末端下方にさらに接触領域７６、７７、７８、７９と結合された一つの第２円盤８０が設けられている。図１７は図１６の透光円盤７０、集光スピンドル６６、６７、６８、６９及びさらに設置された第２円盤８０を、第２円盤８０を接触面として全部ターンテーブル６１の第１円盤６３上に置き、該ターンテーブル６１はモータにより直接或いは間接に第１円盤６３を駆動し回転させ、さらには間接的に第１円盤６３上方に置かれた第１円盤６３上方の透光円盤７０を回転させる。集光スピンドル６６、６７、６８、６９の一部表面は霧化処理されている。サイドライト７５が照射するとき、結合領域７１、７２、７３、７４をライトアップできる。サイドライト７５のほか、該モータに伴い回転しないボトムライト（図示せず）が設置されて底部からの光線を提供してもよい。図１１から図１７の全ての集光スピンドル上の斜線表示はいずれも一部の表面が霧化処理されていることを代表し、同時にサイドライト４１或いは７５のほかに、ボトムライトをこれら霧化処理された集光スピンドルに照射してもよいが、ただし該ボトムライトは該モータ（存在すれば）に伴い回転しない。これら集光スピンドル６６、６７、６８、６９の材質は透明プラスチック或いは透明ガラスとされるが、一部表面は霧化処理され、その形状は円形或いはその他の形状（図示せず）とされ得る。
【００２１】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００２２】
１  円盤
２  スピンドル
３  ネジ
４、１９、２４、２５、２６  モータ
５  連結器
６  ギアチャンバ
７  スピンドルホルダ
８  箱体
９、２０、３２  透光円盤
１０、１１  タイミングプーリ
１２、１３  遊び車
１４、１５、１６、１７、２７、２８、２９  プラスチックボール
１８  タイミングベルト
２１、２２、２３  ゴムロール
３０、３４  光源
３１  半透明カバー
３３  透明スピンドル
３５  暗領域
３６、５０、５９、７０  透光円盤
３７、４８、６６、６７、６８、６９  集光スピンドル
３８、４９、６０、７１、７２、７３、７４  結合領域
３９  集光領域
４０  導光領域
４１、７５  サイドライト
４２、４３  粗表面
４４、６２  モータ
４５  軸連接器
４６  ギアチャンバ
４７  スピンドルホルダ
５１、５４  ボトムライト
５２、５６  サイドライト
５３  ライトボックス本体
５５  バックライト
５７  フロントライト
６１  ターンテーブル
６３、６５、８０  円盤
６４、７６、７７、７８、７９  接触領域
【要約】
【課題】ターンテーブルの集光スピンドルを具えた透光円盤の提供。
【解決手段】ターンテーブルの透光円盤と集光スピンドルが接続され、該集光スピンドルはモータで駆動されて該透光円盤を回転させ、該集光スピンドルの一部表面は霧化処理されているため、底部或いは側面からの入射光線を該集光スピンドルの集光領域内に集め、並びに透明で平滑な導光領域を通し、さらに接続された該透光円盤の結合領域に向けて前述の該集光スピンドル内に集められた光線を発射し、元来暗い結合領域をライトアップして元来の暗さ程度を減らす。該透光円盤上に被写体をおいて回転させ撮影するとき、ライトアップされた該結合領域により暗い該結合領域より背景除去する時間を節約できる。
【選択図】図７【図１】
0005956649.tif 000002
【図２】
0005956649.tif 000003
【図３】
0005956649.tif 000004
【図４】
0005956649.tif 000005
【図５】
0005956649.tif 000006
【図６】
0005956649.tif 000007
【図７】
0005956649.tif 000008
【図８】
0005956649.tif 000009
【図９】
0005956649.tif 000010
【図１０】
0005956649.tif 000011
【図１１】
0005956649.tif 000012
【図１２】
0005956649.tif 000013
【図１３】
0005956649.tif 000014
【図１４】
0005956649.tif 000015
【図１５】
0005956649.tif 000016
【図１６】
0005956649.tif 000017
【図１７】
0005956649.tif 000018